(57)【特許請求の範囲】
【請求項１】
無線通信タグを内蔵する用紙を給紙し、搬送する搬送手段と、
前記搬送手段による用紙の搬送方向と交差する方向に配置され、前記搬送手段によって搬送中の用紙に記録情報を記録する記録手段と、
前記記録手段に対して搬送方向上流側又は下流側何れか一方に配置され、前記無線通信タグへの情報の書き込み及び情報の読み出し可能な通信手段と、
前記無線通信タグに書き込みされるべき情報と書き込み後に読み出された情報が一致しているか否かを比較する比較手段と、
前記記録情報が用紙毎に同一の情報であるか否かを判別する判別手段と、
動作再開を指示する動作再開指示手段とを有し、
前記比較手段による比較結果が不一致で且つ前記判別手段により前記記録情報が用紙毎に同一の情報であると判断された場合は、
記録中の用紙に対しては記録を継続し、記録を開始していない未記録用紙に対しては記録を行なわず、更に、前記記録中の用紙に対する記録完了後、前記搬送手段により用紙を逆転搬送することにより前記未記録用紙の先頭用紙を前記記録手段の入口側に戻して、前記未記録用紙の先頭用紙からの記録再開を可能とし、前記動作再開指示手段からの動作再開指示に応じて、前記比較手段による比較結果が不一致であった用紙及びそれ以降の用紙に対応する情報の記録及び書き込みを前記未記録用紙の先頭から再開し、
前記比較手段による比較結果が不一致で且つ前記判別手段により前記記録情報が用紙毎に同一ではないと判断された場合には、
記録中の用紙に対する記録を即時停止し、記録を開始していない未記録用紙に対して記録を行なわず、更に、前記動作再開指示手段からの動作再開指示に応じて、前記比較手段による比較結果が不一致であった用紙及びそれ以降の用紙に対応する情報の記録及び書き込みを前記未記録用紙に対し再開することを特徴とする記録装置。
【請求項２】
前記比較手段による比較結果が不一致で、且つ前記判別手段により前記記録情報が用紙毎に同一の情報であると判断された場合、
前記搬送手段による用紙の逆転搬送時に、前記比較手段による比較結果が不一致であった当該用紙に書き込みが失敗したことを示すマークを記録することを特徴とする請求項１記載の記録装置。
【請求項３】
前記無線通信タグを内蔵する用紙は枚葉のシートであることを特徴とする請求項１又は２に記載の記録装置。
【請求項４】
前記無線通信タグを内蔵する用紙は連続紙であることを特徴とする請求項１又は２に記載の記録装置。
【発明の詳細な説明】
【０００１】
【発明の属する技術分野】
本発明は、無線通信タグを内蔵する用紙への記録と無線通信タグへの書き込み動作を並列に行う記録装置、及び記録方法に関する。
【０００２】
【従来の技術】
近年、半導体技術及び電子通信技術の発達により、無線で情報を送受信可能なＲＦ-ＩＤ（Radio Frequency Identification）と呼ばれる自動認識システムが開発されている。
【０００３】
ＲＦ-ＩＤシステムは、アンテナとメモリを含む電子回路を搭載し
情報を保持する無線通信タグ（以降ＲＦ-ＩＤタグとも呼ぶ）とＲＦ-ＩＤタグをコントロールするＲＦ-ＩＤリーダ/ライタとから構成される。
【０００４】
このＲＦ-ＩＤシステムの特徴として、データの新規書き込み及び追記、複数のＲＦ-ＩＤタグとの同時通信が可能の他、障害物等の影響を受けにくいなどが挙げられる。これらはバーコードや二次元コードなどの自動認識システムには無い機能を持っている。その利便性から、これまでバーコードや二次元コードでは自動化が困難であった分野だけではなく、従来の自動認識システムで自動化が行われていた、物流・流通分野においても、その利便性から注目されている。
【０００５】
カードやラベルなどの用紙（記録媒体）に内蔵され、前記システムで使用するＲＦ-ＩＤタグは、記録媒体表面への記録とＲＦ-ＩＤタグへの情報の書き込みを行う必要があるが、近年は、これらの作業を別々の装置で分担するのではなく、記録装置にＲＦ-ＩＤタグへの書き込み機能を追加し、媒体表面への記録と、ＲＦ-ＩＤタグへの書き込みを一括して行う記録装置が多く使用される。
【０００６】
この際、媒体であるカードやラベルは連続して給送されてくるため、記録装置内部では同時に複数枚の媒体表面への記録、及びＲＦ-ＩＤタグへの書き込みがなされる状態となっており、ＲＦ-ＩＤタグへの書き込みが失敗した場合、媒体表面への記録及びＲＦ-ＩＤタグへの書き込みを即時停止していた。
【０００７】
【発明が解決しようとする課題】
しかしながら、上記従来例ではＲＦ-ＩＤタグへの書き込みが失敗すると媒体表面への記録も停止してしまうため、無駄になる用紙（媒体）が多く発生する。
【０００８】
特に、複数のラインヘッドを持つカラー記録装置で記録を行う場合は、ラインヘッドを用紙の搬送方向に複数並べて配置し、記録するため記録装置内部に滞留している用紙（媒体）数が多く、さらに多くの無駄紙が発生する問題があった。
【０００９】
一方、記録情報及び書き込み情報によっては、生成される媒体の順序に意味があり、順序が変わってしまうと作業効率が低下してしまうなどといった場合もあり、そのような場合は無駄となる媒体数が例え増えたとしても、再度順序通り媒体の生成を行うのが望ましいので、従来通り即時停止する動作が適している。
【００１０】
本発明は、ＲＦ-ＩＤタグへの書き込みが失敗と判断された時点で、既に書き込み完了して且つ記録途中である用紙に対しては記録を継続し、書き込み及び記録を開始していない用紙に対しては書き込み及び記録を行わずに動作を停止することにより、記録媒体の無駄を減らすことが出来る。
【００１１】
さらに本発明は、記録及びＲＦ-ＩＤタグへの書き込み内容が可変情報（用紙１枚毎に異なる情報）であるか否かなどから停止動作を即停止すべきか上記動作をすべきか判断することで、より好適な記録装置を提供することを目的とする。
【００１２】
【課題を解決するための手段】
本発明による記録装置は上記の課題を解決するための手段として、下記に記載の装置及び方法を実施した。
【００１３】
即ち、本発明の記録装置は、
無線通信タグを内蔵する用紙を給紙し、搬送する搬送手段と、
前記搬送手段による用紙の搬送方向と交差する方向に配置され、前記搬送手段によって搬送中の用紙に記録情報を記録する記録手段と、
前記記録手段に対して搬送方向上流側又は下流側何れか一方に配置され、前記無線通信タグへの情報の書き込み及び情報の読み出し可能な通信手段と、
前記無線通信タグに書き込みされるべき情報と書き込み後に読み出された情報が一致しているか否かを比較する比較手段と、
前記記録情報が用紙毎に同一の情報であるか否かを判別する判別手段と、
動作再開を指示する動作再開指示手段とを有し、
前記比較手段による比較結果が不一致で且つ前記判別手段により前記記録情報が用紙毎に同一の情報であると判断された場合は、
記録中の用紙に対しては記録を継続し、記録を開始していない未記録用紙に対しては記録を行なわず、更に、前記記録中の用紙に対する記録完了後、前記搬送手段により用紙を逆転搬送することにより前記未記録用紙の先頭用紙を前記記録手段の入り口側に戻して、前記未記録用紙の先頭用紙からの記録再開を可能とし、前記動作再開指示手段からの動作再開指示に応じて、前記比較手段による比較結果が不一致であった用紙及びそれ以降の用紙に対応する情報の記録及び書き込みを前記未記録用紙の先頭から再開し、
前記比較手段による比較結果が不一致で且つ前記判別手段により前記記録情報が用紙毎に同一ではないと判断された場合には、
記録中の用紙に対する記録を即時停止し、記録を開始していない未記録用紙に対して記録を行なわず、更に、前記動作再開指示手段からの動作再開指示に応じて、前記比較手段による比較結果が不一致であった用紙及びそれ以降の用紙に対応する情報の記録及び書き込みを前記未記録用紙に対し再開することを特徴とする。
【００１４】
又、本発明の記録装置は、
前記比較手段による比較結果が不一致で、且つ前記判別手段により前記記録情報が用紙毎に同一の情報であると判断された場合、
前記搬送手段による用紙の逆転搬送時に、
前記比較手段による比較結果が不一致であった当該用紙に書き込みが失敗したことを示すマークを記録することを特徴とする。
【００１５】
又、本発明の記録装置の前記無線通信タグを内蔵する用紙は枚葉のシートであることを特徴とする。
【００１６】
さらに、本発明の記録装置の前記無線通信タグを内蔵する用紙は連続紙であることを特徴とする。
【００３９】
【作用】
本発明は、ＲＦ-ＩＤタグを内蔵する媒体と通信を行う機能を有する記録装置において、ＲＦ−ＩＤタグへの書き込みに失敗した時に、記録及び書き込み動作の停止処理を書き込み完了して且つ記録途中である用紙に対しては記録を継続し、書き込み及び記録を開始していない用紙に対しては書き込み、記録を行わずに動作を停止することにより、記録媒体の無駄を減らせる。
【００４０】
更に記録及びＲＦ-ＩＤタグへの書き込み内容が可変情報（用紙１枚毎に異なる情報）であるか否かなどから停止動作を即停止すべきか上記動作をすべきか判断することで、より好適な記録装置を提供出来る。
【００４１】
【発明実施の形態】
以下、図面を参照して本発明の実施例について詳細に説明する。
【００４２】
第１の実施例におけるＲＦ-ＩＤタグ記録機能付きインクジェット方式の連続ラベル紙記録装置とホストコンピュータを接続した構成図を図１に示す。
【００４３】
ＲＦ-ＩＤ記録機能付き記録装置（１００）と、ホストコンピュータ（１０１）はインタフェースケーブル（１０２）で接続され、ホストコンピュータ（１０１）は記録情報やＲＦ-ＩＤタグに書き込む情報等を制御コマンドとしてインタフェースケーブル（１０２）を介しＲＦ-ＩＤ記録機能付き記録装置（１００）に情報を出力する。
【００４４】
本実施例で使用するＲＦ-ＩＤタグ記録機能付きインクジェット方式の連続ラベル紙記録装置の概略構成図を図２に示す。記録装置（１００）は、連続ラベル紙に対して記録を行うラベルプリンタである。台紙にラベル片が仮着された連続ラベル紙をロールユニット（２０５）に装着して記録装置本体の搬送部に供給する。搬送部は主に搬送モータ（２０６）と搬送ベルト（２０７）で構成され、記録時は図中の矢印方向に連続ラベル紙を搬送する。
【００４５】
ここで、搬送経路上のロールユニット（２０５）側を搬送入口、逆側を搬送出口とする。記録装置は記録手段として、インクジェット記録ヘッドであるブラック（Ｋ）ヘッド（２０３Ｋ）、シアン（Ｃ）ヘッド（２０３Ｃ）、マゼンタ（Ｍ）ヘッド（２０３Ｍ）、イエロー（Ｙ）ヘッド（２０３Ｙ）を搭載し、これらのヘッドはラベル幅分の長さのノズル列を持ったフルラインタイプのインクジェット記録ヘッドである。これら４本のヘッドからそれぞれＫ、Ｃ、Ｍ、Ｙのインクを吐出し、カラー記録する。
【００４６】
吐出するインクは、ブラック（Ｋ）インクカートリッジ（２０４Ｋ）、シアン（Ｃ）インクカートリッジ（２０４Ｃ）、マゼンタ（Ｍ）インクカートリッジ（２０４Ｍ）、イエロー（Ｙ）インクカートリッジ（２０４Ｙ）から、図示しないポンプによってそれぞれの記録ヘッドに供給される。
【００４７】
ロールユニット（２０５）は、ロール紙（２１０）を装着するロール駆動軸（２０８）、記録装置本体手前の搬送入口付近の用紙にあるたるみをもたせるように機能するロールセンサレバー（２０９）、ロール駆動軸（２０８）を駆動する図示しないロールモータから構成され、ロールセンサレバー（２０９）の状態によりロールモータを加減速することで連続ラベル紙を記録装置本体に給送する。
【００４８】
さらに、搬送出口にＲＦ-ＩＤタグに対して情報を書き込むためのＲＦ-ＩＤ通信部（２００）が有り、ＲＦ-ＩＤ通信部（２００）は、ＲＦ-ＩＤ用通信アンテナ（２０１）とＲＦ-ＩＤの通信制御を行うＲＦ-ＩＤリーダ/ライタ（２０２）から構成され、各ラベルに内蔵されたＲＦ-ＩＤタグと通信を行い、情報を書き込む。
【００４９】
本実施例で使用するホストコンピュータから送信される制御コマンドの構造について図３に示す。制御コマンドとしては、記録する連続ラベル紙のサイズ等を設定する用紙設定コマンド（３０１）、記録データの基準となる設定が存在するフォーマットコマンド（３０２）、文字、イメージ、ＲＦ−ＩＤの詳細情報を設定するデータコマンド（３０３、３０４、３０５）、データコマンドの種類をコピー／フォーム／可変より指定するデータ種類コマンド（３１１）、記録データの終了を示しジョブを開始するジョブ開始コマンド（３１０）が存在する。
【００５０】
それらのコマンドをコピーモード（同一画像情報を複数枚記録するモード）の場合には、記録コマンド転送例（３１２）の様に出力し、一方、可変記録モード（あるフォームデータに対し一部記録内容を1枚毎に変更して記録するモード）の場合を、図１２の記録コマンド転送例（１２０１）に示す。
【００５１】
ＲＦ-ＩＤタグのＩＣチップ（図５の５０３）の種類は図３の３０６に、ＲＦ-ＩＤタグサイズは３０７に、書き込みデータ量は３０８に、書き込みデータは３０９により指定される。
【００５２】
本実施例による記録装置の電気的な簡易ブロックを図４に示す。
ホストコンピュータ（４００）は、記録に使用する画像データとＲＦ-ＩＤタグのＩＣチップに書き込む電子情報をデータコマンド（３０３）として記録装置（１００）に転送し、記録動作の開始を指示する。また、記録装置（１００）で記録する連続ラベル紙の枚数、及び連続ラベル紙の種類やサイズ等を指示する用紙設定コマンド（３０１）、フォーマットコマンド（３０２）を記録装置（１００）に転送して指示する。
【００５３】
記録装置（１００）は、通信ドライバ（４０３）により通信を制御し、ホストコンピュータ（４００）からのコマンドを受信する。
【００５４】
記録装置（１００）は、受信した画像（記録）データを各色成分のイメージデータとしてＲＡＭ（４１０Ｋ）〜（４１０Ｙ）のそれぞれにビットマップ展開して描画する。また、ＲＦ-ＩＤタグに書き込む電子情報であるＲＦ-ＩＤデータコマンド（３０５）とラベルサイズ、記録枚数等の用紙設定コマンド（３０１）及びフォーマットコマンド（３０２）はＲＡＭ（４１０Ｒ）に格納される。
【００５５】
こうして記録データとＲＦ-ＩＤタグに書き込む電子情報をＲＡＭ（４１０Ｋ）〜（４１０Ｒ）のそれぞれに展開が終了すると、インクジェット記録ヘッド（４０９Ｋ）〜（４０９Ｙ）をヘッド駆動機構制御モータ（４０７）により記録位置へ移動させる。
【００５６】
記録は連続ラベル紙の搬送に同期して、メインコントローラ（４０１）がＲＡＭ（４１０Ｋ）〜（４１０Ｙ）のそれぞれから対応する色のイメージデータを順次読み出し、ヘッド駆動回路（４０４）を経由して、それぞれに対応する色のインクを吐出するインクジェット記録ヘッド（４０９Ｋ）〜（４０９Ｙ）に出力する。
【００５７】
こうしてインクジェット記録ヘッド（４０９Ｋ）〜（４０９Ｙ）のそれぞれは、入力されたイメージデータに従ってインクを選択的に吐出してカラー画像を記録する。記録が終了した連続ラベル紙は、引き続いてＲＦ-ＩＤ通信部（２００）に搬送され、ＲＦ-ＩＤリーダ/ライタ（４０２）によりＲＦ-ＩＤ通信用アンテナ（４０６）を介して、各ラベルに内蔵されたＲＦ-ＩＤタグのＩＣチップ（８０３）に対してＲＦ-ＩＤ電子情報を書き込む。書き込みが終了した連続ラベル紙は、順次搬送出口に排出される。
【００５８】
上記の制御は、ＲＯＭ（４０８）に記憶され後述するフローチャートに対応する制御プログラムをメインコントローラ（４０１）が実行し、記録装置の各部を制御する。
【００５９】
本実施例で使用するＲＦ-ＩＤタグを内蔵した連続ラベル紙の例を図５に示す。
長尺の連続ラベル紙（５００）は、中空部を形成した円柱状の巻芯にロール状に巻かれた形態となっており、図５はこの連続ラベル紙の一部を示している。
【００６０】
台紙（５０１）には、表面に記録可能なラベル片（５０２）が等間隔で仮着されており、ラベル片（５０２）の内部に電子情報を記憶するための不揮発性メモリを搭載したＩＣチップ（５０３）とＩＣチップ（５０３）に電気的に接続されたアンテナ（５０４）が封入されている。
【００６１】
本実施例では、ＩＣチップ（５０３）は、電気的に書き換え可能な不揮発性メモリが用いられている。
【００６２】
本実施例による記録画像情報とＲＦ−ＩＤタグのＩＣチップ（５０３）に書き込む情報を受信した後の記録装置（１００）の記録処理を図６に示す。
【００６３】
そして、可変情報（用紙１枚毎に異なる情報）を記録中にＲＦ−ＩＤタグのＩＣチップ（５０３）に対する書き込みが失敗した際の処理（各々のラベルの動き）を図７に示す。
【００６４】
一方、コピー情報を記録中にＲＦ-ＩＤタグのＩＣチップ（５０３）への書き込みが失敗した場合の異なる処理（各々のラベルの動き）は図８に示す。
記録枚数や用紙サイズ、ＲＦ-ＩＤタグのアンテナサイズ、などの各種パラメータと記録する画像情報、及びＲＦ-ＩＤタグのＩＣチップ（５０３）に書き込む情報は、記録を指示するコマンドと共にホストコンピュータ（１０１）から記録装置（１００）に転送される。
【００６５】
可変情報又はコピー情報として転送された記録情報はＲＡＭ（４１０Ｋ）〜（４１０Ｙ）に、ＲＦ-ＩＤタグへの書き込み情報はＲＡＭ（４１０Ｒ）上に記憶される（ステップ６０１）。
【００６６】
記録情報、書き込み情報にはそれぞれ情報の属性を示す付帯情報が加えられており、記録データの受信終了後、連続ラベル紙の搬送を開始する（ステップ６０２）。
【００６７】
ステップ６０３のラベル紙への記録及びＲＦ-ＩＤタグへの書き込み処理では、記録すべきラベルが各記録ヘッド下部を通過中に記録され、引き続いて記録済みラベルはＲＦ-ＩＤ通信部（２００）に搬送され、ＲＦ-ＩＤ通信用アンテナ（２０１）の上部を通過する間にラベルに予め内蔵されているＲＦ-ＩＤタグのＩＣチップ（５０３）に電子情報を書き込む（ステップ６０３）。
【００６８】
書き込み終了直後、メインコントローラ（４０１）はＲＦ−ＩＤリーダ／ライタ（４０２）を介してＲＦ-ＩＤタグの情報を読み出し（ステップ６０４）、ＲＡＭ（４１０Ｒ）に記憶した書き込みデータと比較する（ステップ６０５）。
【００６９】
比較した結果、一致（書き込みＯＫ）して（ステップ６０４）、次に記録枚数が設定された枚数に達していれば（ステップ６０６）、最終ラベルを搬送出口に排出し、搬送を終了する（ステップ６０７）。
【００７０】
ステップ６０５にて書き込みデータと不一致となりＲＦ−ＩＤタグへの書き込みが失敗と判断された場合、記録情報が可変情報であるか判断し（ステップ６０８）、可変情報であるならば、ラベルへの記録・ＲＦ−ＩＤタグへの書き込み・ラベル紙の搬送処理を即時停止し（ステップ６０９）、動作を終了する。即時停止される為、記録装置本体内部には記録途中のラベル紙が滞留するが、この時の状態を図７Ａに示す。
【００７１】
ステップ６１２にて不図示である記録動作の再開を指示するオペレーションパネルのキー操作を待ち、指示コマンドを受信したらステップ６０２に戻りラベル紙の搬送を再開し、記録動作を再開する。この際、再開される記録及び書き込み情報は前動作にて記録途中及び書き込み失敗した情報を含む情報であり、図７Ｂでは前動作停止時に未記録・未書き込みラベルであった７０１ｅに対し、書き込み失敗したラベル（７０１ａ）の記録・書き込み内容を、記録し書き込み処理する。同様に７０１ｆ以降のラベルに対しても各々７０１ｂ、７０１ｃ、等の内容に対応した記録・書き込み処理する。
【００７２】
ステップ６０８にて可変情報の記録でない（コピー情報である）場合（図８Ａ）、書き込み失敗と判断しても即時停止せず、記録中のラベルに対しては正常に記録及び書き込み動作を完了し（６１０）、本体出口に排出する。書き込み失敗した時点でまだ記録及び書き込みが開始されていないラベルに対しての記録、書き込みは開始しないままにする（ステップ６０９）。この時の状態を図８Ｂに示す。
【００７３】
排出が終了した後、今度は書き込み失敗したラベル（８０１ａ）が記録ヘッド（２０３Ｋ）より入口側に到達するまでラベル紙を逆転搬送する。この間に、書き込み失敗したラベル（８０１ａ）にはＲＦ−ＩＤタグへの書き込みが失敗したことを明示するマークを記録ヘッド（２０３）にて記録を行い（ステップ６１１）、次に不図示である記録動作の再開を指示するオペレーションパネル上のキー操作を待つ。
【００７４】
再開が指示されると（ステップ６１２）、ステップ６０２にてラベル紙の搬送を開始し、動作を再開する。この際、再開される記録及び書き込み情報は前動作にて記録失敗したラベル（８０１ａ）の情報を含む情報であり、図８Ｃでは前動作の停止時に未記録・未書き込みであったラベル（８０１ｅ）に対し、書き込み失敗のため正常なラベルを生成できなかったラベル（８０１ａ）の記録・書き込み情報にて処理を行う。８０１ｆ以降のラベル紙に対しては未記録・未書き込みの情報である各々８０１ｅ、８０１ｆ、等の情報にて処理を行う。
【００７５】
以上説明した第１の実施例では、ＲＦ−ＩＤタグに情報の書き込みを行う際に書き込みが失敗した場合、記録・書き込みを行っている情報が可変情報であるか否かにより即停止すべきか、記録中のラベルに対しては正常に処理するか選択することで、記録媒体の無駄を減らすことが出来る。
【００７６】
（第２の実施例）
第１の実施例の記録装置（１００）において、ＲＦ−ＩＤタグのＩＣチップへの書き込み失敗時、ホストコンピュータ（１０１）から指示された情報により停止動作を選択することでも本発明を実施できる。
【００７７】
本実施例で使用するホストコンピュータ(１０１)から送信される制御コマンドの構造を図９に示す。制御コマンドとしては、記録する連続ラベル紙のサイズ等を設定する用紙設定コマンド（９０１）、記録データの基準となる設定が存在するフォーマットコマンド（９０２）、文字、イメージ、ＲＦ−ＩＤの詳細情報を設定するデータコマンド（９０３、９０４、９０５）、データコマンドの種類をコピー／フォーム／可変より指定するデータ種類コマンド（９１１）、記録データの終了を示しジョブを開始するジョブ開始コマンド（９１０）が存在し、それらのコマンドを同一画像情報にて複数枚記録を行う場合、記録コマンド転送例（９１２）の様に出力し、あるフォームデータに対し一部だけ記録情報を変更させて記録する可変情報記録を行う場合、記録コマンド転送例（図１０、１００１）の様に出力する。
【００７８】
ＲＦ-ＩＤタグのＩＣチップ（５０３）の種類は９０６に、ＲＦ-ＩＤタグサイズは９０７、書き込みデータ量は９０８に、書き込みデータは９０９により指定され、書き込み失敗時の停止動作は９１４により指定される。
【００７９】
本実施例の記録画像情報とＩＣチップに書き込む書き込み情報を受信した後の記録装置（１００）の記録処理のフローを図１１に示す。
【００８０】
記録枚数や用紙サイズ、ＲＦ-ＩＤタグのアンテナサイズ、などの各種パラメータと記録する画像情報、及びＲＦ-ＩＤタグのＩＣチップ（５０３）に書き込む情報は、記録を指示するコマンドと共にホストコンピュータ（１０１）から記録装置（１００）に可変情報又はコピー情報として送信され、記録画像情報はＲＡＭ（４１０Ｋ）〜（４１０Ｙ）に、ＲＦ-ＩＤタグのＩＣチップ（５０３）への書き込み情報はＲＡＭ（４１０Ｒ）上に記憶される（ステップ１１０１）。
【００８１】
記録画像情報、書き込み情報にはそれぞれ情報の属性を示す付帯情報が加えられており、記録データの受信終了した後、連続ラベル紙の搬送を開始する（ステップ１１０２）。
【００８２】
ステップ１１０３のラベル記録およびＲＦ-ＩＤタグ書き込み処理では、記録すべき先頭ラベルを記録位置に移動し記録を行う。記録終了後、引き続いてラベルはＲＦ-ＩＤ通信部（２００）に搬送され、ＲＦ-ＩＤ通信用アンテナ（２０１）の上部を通過する間にラベルに予め内蔵されているＩＣチップ（５０３）に電子情報を書き込む（ステップ１１０３）。
【００８３】
書き込み終了直後、メインコントローラ（４０１）はＲＦ−ＩＤリーダ／ライタ（４０２）を介してＲＦ-ＩＤタグの情報を読み出し（ステップ１１０４）、ＲＡＭ（４１０Ｒ）に記憶した書き込みデータと比較する（ステップ１１０５）。
【００８４】
比較した結果、一致（書き込みＯＫ）して（ステップ１１０５）、次に記録枚数が設定された枚数に達していれば（ステップ１１０６）、最終ラベルを搬送出口に排出し、搬送を終了する（ステップ１１０７）。
【００８５】
ステップ１１０５にて書き込みデータと不一致となりＲＦ−ＩＤタグへの書き込みが失敗と判断された場合、ホストコンピュータ(１０１)から予め受信している停止動作情報（９１４）が即停止（記録内容が可変情報）であるか判断し（ステップ１１０８）、即停止であるならば、記録・書き込み・ラベル紙の搬送処理を即時停止し（ステップ１１０９）、動作を終了する。即時停止される為、本体内部には記録途中のラベル紙が滞留することになる。
【００８６】
これらのラベル滞留の様子は実施例１において既に説明した図７Ａと同じであるのでここでは説明を省略する。
【００８７】
ステップ１１１２にて不図示である記録動作の再開を指示するオペレーションパネル上のキー操作による動作再開指示を待ち、コマンドを受信したらステップ１１０２にてラベル紙の搬送を再開、記録動作を再開する。この際、再開される記録及びＲＦ−ＩＤタグへの書き込み情報は前動作にて記録途中及び書き込み失敗した情報を含む情報であり、実施例１で既に説明した如く図７Ｂでは前動作の停止時に未記録・未書き込みラベルである７０１ｅに対し、書き込み失敗のため正常にラベルを生成できなかった７０１ａの記録・書き込み情報にて処理を行う。
【００８８】
同様に７０１ｆ以降のラベル紙に対しても各々７０１ｂ、７０１ｃ、等の記録・書き込み情報にて処理を行う。
【００８９】
ステップ１１０８にて停止動作情報（９１４）が即停止でない場合、つまりコピー情報であると判断された場合、即時停止せず、記録中のラベルに対しては正常に記録及び書き込み動作を完了し(ステップ１１１０)、本体出口に排出する。書き込み失敗した時点でまだ記録及び書き込みが開始されていないラベルに対しては記録、書き込みを開始しないままとする。
【００９０】
既に実施例１において説明した如く、この時記録装置（１００）内部に滞留したラベルの様子を図８Ｂに示す。
【００９１】
上記は実施例１で既に説明した状態と同じであり、ここでは説明を省略する。
【００９２】
排出が終了した後、今度は書き込み失敗したラベル（８０１ａ）が記録ヘッド（２０３Ｋ）より入口側に到達するまでラベル紙を逆転搬送する。
【００９３】
この間に、書き込み失敗したラベル（８０１ａ）にはＲＦ−ＩＤタグへの書き込みが失敗したことを明示するマークを記録ヘッド（２０３）にて記録を行い、ステップ１１１２にて不図示である記録動作の再開を指示するオペレーションパネル上のキー操作を待つ。
【００９４】
再開が指示されると（１１１１）、ステップ１１０２にてラベル紙の搬送を再開、記録動作を再開する。
【００９５】
この際、再開される記録及び書き込み情報は前動作にて書き込み失敗したラベルの情報を含む情報であり、既に実施例１で説明した通り、図８Ｃでは前動作の停止時に未記録・未書き込みであったラベル（８０１ｅ）に対し、書き込み失敗のため正常なラベルを生成できなかったラベル（８０１ａ）の記録・書き込み情報にて処理を行う。８０１ｆ以降のラベル紙に対しては未記録・未書き込みの情報である各々８０１ｅ、８０１ｆ、等の情報にて処理を行う。
【００９６】
このように、第２の実施例では、ＲＦ−ＩＤタグに情報の書き込みを行う際に書き込みが失敗した場合、ホストコンピュータ(１０１)から予め指定された停止動作情報により、即停止すべきか記録中のラベル紙に対しては正常に処理するか選択することで、記録媒体の無駄を減らすことが出来る。
【００９７】
なお、本実施例ではフルラインタイプのインクジェット方式の記録装置について説明したが、用紙搬送方向に対して垂直に記録ヘッドをスキャンさせる、シリアルタイプのプリンタにおいても有効であり、記録画像の階調性を高めるために淡色インクの記録ヘッドを追加したものや、インクジェット方式以外の記録ヘッドを持つプリンタに対しても有効である。
【００９８】
また、記録媒体もラベル紙に限るものではなく、通常用いられる枚葉のシート（カット紙）であっても有効である。
【００９９】
更にＲＦ−ＩＤ通信用アンテナの位置は記録装置の出口側に限るものではなく、入口側、即ち記録動作される位置より手前、或いは記録動作位置内部であってもかまわない。
【０１００】
【発明の効果】
以上説明したように本発明によれば、ＲＦ−ＩＤタグへの書き込みに失敗した時に記録及び書き込み動作の停止処理を書き込み成功及び記録途中である用紙に対しては記録を継続し、記録及び書き込みを行っていない用紙に対しては記録及び書き込みを開始しないで動作を停止することにより、記録媒体の無駄を減らすことが出来、さらに書き込み失敗時、記録及び書き込み情報の内容が可変情報であるか否かによって停止動作を即停止すべきか上記動作をすべきか判断することで、好適な記録装置、及び記録方法を提供できる。
【０１０１】
【図面の簡単な説明】
【図１】第１の実施例におけるＲＦ-ＩＤタグ通信機能付き記録装置とホストコンピュータを接続した構成図である。
【図２】第１の実施例で使用するＲＦ-ＩＤタグ記録機能付きインクジェット方式記録装置の概略構成図である。
【図３】第１の実施例における記録装置の制御コマンド体系を示す図である。
【図４】第１の実施例における記録装置の構成を示すブロック図である。
【図５】第１の実施例で使用されるＲＦ-ＩＤタグを内蔵したラベル紙の概略構成図である。
【図６】第１の実施例における記録処理及びＲＦ−ＩＤ書き込み失敗時の処理を説明するためのフローチャートである。
【図７】第１の実施例におけるＲＦ−ＩＤ書き込み失敗時の停止動作（即停止）を説明するための概略図である。
【図８】第１の実施例におけるＲＦ−ＩＤ書き込み失敗時の停止動作（記録途中のラベル紙は正常に排出する）を説明するための概略図である。
【図９】第２の実施例における記録装置の制御コマンド体系を示す図である。
【図１０】第２の実施例における可変情報の記録コマンド転送例を示す図である。
【図１１】第２の実施例における記録処理及びＲＦ−ＩＤ書き込み失敗時の処理を説明するためのフローチャートである。
【図１２】第１の実施例における可変情報の記録コマンド転送例を示す図である。
【符号の説明】
１００      記録装置
１０１      ホストコンピュータ
１０２      インタフェースケーブル
２００      ＲＦ-ＩＤ通信部
２０１      ＲＦ-ＩＤ通信用アンテナ
２０２      ＲＦ-ＩＤリーダ/ライタ
２０３Ｋ    ブラック（Ｋ）ヘッド
２０３Ｃ    シアン（Ｃ）ヘッド
２０３Ｍ    マゼンタ（Ｍ）ヘッド
２０３Ｙ    イエロー（Ｙ）ヘッド
２０４Ｋ    ブラック（Ｋ）インクカートリッジ
２０４Ｃ    シアン（Ｃ）インクカートリッジ
２０４Ｍ    マゼンタ（Ｍ）インクカートリッジ
２０４Ｙ    イエロー（Ｙ）インクカートリッジ
２０５      ロールユニット
２０６      搬送モータ
２０７      搬送ベルト
２０８      ロール駆動軸
２０９      ロールセンサレバー
２１０      ロール紙
４０１      メインコントローラ
４０２      ＲＦ-ＩＤリーダ/ライタ
４０３      通信ドライバ
４０４      ヘッド駆動回路
４０５      給紙モータ
４０６      ＲＦ-ＩＤ通信用アンテナ
５００      連続ラベル紙
５０１      台紙
５０２      ラベル片
５０３      ＩＣチップ
５０４      アンテナ
１２０１    コマンド送信例（可変記録モード）
【図１】
0004412876.tif 000002
【図２】
0004412876.tif 000003
【図３】
0004412876.tif 000004
【図４】
0004412876.tif 000005
【図５】
0004412876.tif 000006
【図６】
0004412876.tif 000007
【図７】
0004412876.tif 000008
【図８】
0004412876.tif 000009
【図９】
0004412876.tif 000010
【図１０】
0004412876.tif 000011
【図１１】
0004412876.tif 000012
【図１２】
0004412876.tif 000013